(57)【要約】【課題】駆動源によって動作する部材のぶれを抑制することが可能な遊技機を提供すること。【解決手段】駆動源２１の動力によって変位する第一部材１１と、前記第一部材１１に支持された部材であって、当該第一部材１１に対して原位置と演出位置との間を変位することが可能な第二部材１２と、前記駆動源２１の動力を前記第一部材に伝達する動力伝達部材２１１と、前記第一部材１１および動かないように固定された固定部材４０に接続された部材であって、前記駆動源２１の動力により変位する前記第一部材１１に伴って変位する支持部材３０と、を備え、前記第一部材１１における前記動力伝達部材２１１が接続された第一接続部よりも、前記第一部材１１における前記支持部材３０が接続された第二接続部の方が、前記演出位置に位置する前記第二部材１２に近い位置に設けられていることを特徴とする遊技機１とする。【選択図】図５
2019201769.tif 000002
【特許請求の範囲】
【請求項１】
駆動源の動力によって変位する第一部材と、
前記第一部材に支持された部材であって、当該第一部材に対して原位置と演出位置との間を変位することが可能な第二部材と、
前記駆動源の動力を前記第一部材に伝達する動力伝達部材と、
前記第一部材および動かないように固定された固定部材に接続された部材であって、前記駆動源の動力により変位する前記第一部材に伴って変位する支持部材と、
を備え、
前記第一部材における前記動力伝達部材が接続された第一接続部よりも、前記第一部材における前記支持部材が接続された第二接続部の方が、前記演出位置に位置する前記第二部材に近い位置に設けられていることを特徴とする遊技機。
【発明の詳細な説明】
【技術分野】
【０００１】
本発明は、遊技機に関する。
【背景技術】
【０００２】
段階的に動作する可動役物を備えた遊技機が公知である（例えば、下記特許文献１参照）。
【先行技術文献】
【特許文献】
【０００３】
【特許文献１】特開２０１５−７７２８５号公報
【発明の概要】
【発明が解決しようとする課題】
【０００４】
可動役物が段階的に動作する際、当該可動役物がぶれてしまうおそれがある。
【０００５】
本発明が解決しようとする課題は、駆動源によって動作する部材のぶれを抑制することが可能な遊技機を提供することにある。
【課題を解決するための手段】
【０００６】
上記課題を解決するためになされた本発明にかかる遊技機は、駆動源の動力によって変位する第一部材と、前記第一部材に支持された部材であって、当該第一部材に対して原位置と演出位置との間を変位することが可能な第二部材と、前記駆動源の動力を前記第一部材に伝達する動力伝達部材と、前記第一部材および動かないように固定された固定部材に接続された部材であって、前記駆動源の動力により変位する前記第一部材に伴って変位する支持部材と、を備え、前記第一部材における前記動力伝達部材が接続された第一接続部よりも、前記第一部材における前記支持部材が接続された第二接続部の方が、前記演出位置に位置する前記第二部材に近い位置に設けられていることを特徴とする。
【発明の効果】
【０００７】
本発明にかかる遊技機によれば、駆動源によって動作する部材のぶれを抑制することが可能である。
【図面の簡単な説明】
【０００８】
【図１】本実施形態にかかる遊技機の正面図である。
【図２】表示装置（表示領域）に表示された識別図柄および保留図柄を示した図である。
【図３】第一部材が第一原位置に、第二部材が第二原位置に位置する状態における演出ユニットを示した図である。
【図４】第一部材が第一演出位置に、第二部材が第二原位置に位置する状態における演出ユニットを示した図である。
【図５】第一部材が第一演出位置に、第二部材が第二演出位置置に位置する状態における演出ユニットを示した図である。
【図６】第一部材に第二部材の変位を停止させるストッパ部が設けられていることを説明するための図である。
【図７】第一部材（突出部）と支持部材が面接触していることを説明するための図である。
【図８】第二具体例を説明するための図である。
【図９】第四具体例を説明するための図である。
【発明を実施するための形態】
【０００９】
以下、本発明にかかる遊技機１の一実施形態について図面を参照して詳細に説明する。まず、図１を参照して遊技機１の全体構成について簡単に説明する。
【００１０】
遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００１１】
遊技領域９０２には、表示装置９１、始動入賞口９０４、大入賞口９０６、アウト口９０７などが設けられている。かかる表示装置９１の表示領域９１１は、遊技盤９０に形成された開口９０１を通じて視認可能となる領域である。なお、表示領域９１１の形状等は適宜変更可能である（開口９０１の形状や大きさ、表示装置９１自体の形状や大きさを変更することで表示領域９１１の形状等を変更することができる）。
【００１２】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１３】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。
【００１４】
大当たりの抽選は、図示されない制御基板に設けられた当否判定手段が始動入賞口９０４への遊技球の入賞を契機として実行する（このような始動入賞口は複数設けられていてもよい）。具体的には、始動入賞口９０４への遊技球の入賞を契機として乱数源から数値（当否判定情報）が取得され、当該数値が予め定められた大当たりの数値と同じである場合には大当たりとなり、異なる場合にははずれとなる。本実施形態では、当該数値が取得された順に当否判定結果の報知が開始される（いわゆる変動が開始される）こととなるが、ある数値が取得されたときに、それより前に取得された数値に基づく当否判定結果が報知されている際には、当該ある数値に基づく当否判定結果が開始されるまで、図示されない制御基板に設けられた記憶手段に記憶される。未だ当否判定の報知が開始されていない数値（以下単に保留と称することもある）の最大の記憶数（最大保留数）は適宜設定することができる。本実施形態における記憶手段が記憶できる最大保留数は、一種の始動入賞口９０４につき四つである。記憶手段に上記数値（当否判定情報）が記憶されていることは、保留図柄８０として表示される（図２参照）。なお、本実施形態では、当否判定の報知が開始される時点で、取得された数値が大当たりとなる数値か否かが判断されることとなるが、数値が取得されたときに当否判定を行い、当否判定結果自体を記憶させておく構成としてもよい（この場合には当否判定結果自体が、当否判定情報に相当することとなる）。また、取得された数値は、当否判定結果を報知する演出の具体的な内容を決定するための数値としても利用される。
【００１５】
なお、遊技機１の枠体、遊技球を貯留する下皿や上皿など、本発明に関係のない遊技機１の構成要素は説明を省略する。これらについては公知の遊技機と同様の構造のものが適用できる。
【００１６】
本実施形態では、公知の遊技機と同様に、表示装置９１の表示領域９１１に表示される識別図柄７０（図２参照）の組み合わせによって当否判定結果を遊技者に報知する。具体的には、複数種の識別図柄７０を含む識別図柄群７０ｇ（左識別図柄群７０ｇＬ、中識別図柄群７０ｇＣ、右識別図柄群７０ｇＲ）が変動を開始し、最終的に各識別図柄群７０ｇから一の識別図柄７０が選択されて停止する。大当たりに当選している場合には各識別図柄群７０ｇから選択されて停止した識別図柄７０の組み合わせは所定の組み合わせ（例えば、同じ識別図柄７０の三つ揃い）となる。はずれである場合にはそれ以外（大当たりとなる組み合わせ以外）の組み合わせとなる。なお、各図においては、識別図柄７０を構成する「数字（文字）」のみを図示するが、当該数字とキャラクタ等が組み合わされた図柄を識別図柄７０として設定することができる。
【００１７】
遊技の趣向性を向上させるため、種々の演出が実行される。本実施形態では、当該演出の一種として、可動演出が実行される。可動演出は、可動ユニット１０が動作する演出である。以下、当該可動ユニット１０について説明する。
【００１８】
可動ユニット１０は、第一部材１１および第二部材１２を備える（図１、図３〜５参照）。第一部材１１は、第一駆動源２１によって原位置（以下、第二部材１２の原位置と区別するため第一原位置と称する）（図３に示す位置）と演出位置（以下、第二部材１２の演出位置と区別するため第二演出位置と称する）（図４、５に示す位置）との間を変位する部材である。本実施形態における第一部材１１は、大まかに見て平面視（遊技者の視線（前後方向）で見た形状をいう。以下同じ）略長方形状の部材である。第一部材１１は、第一原位置に位置するときには、その全部または大部分が遊技盤９０に覆われた状態にある。具体的には、略長方形状の第一部材１１が遊技盤９０の開口９０１の下端縁に沿うように位置し、その全部または大部分が遊技盤９０の開口９０１よりも下側の部分に覆われることで、遊技者には視認困難な状態にある。一方、第一演出位置に位置するときには、その全部または大部分が、表示領域９１１の前側に位置して遊技盤９０に形成された開口９０１を通じて遊技者に視認される状態となる（図１参照）。第一部材１１の前面には、第一演出位置に位置したときの演出効果を高めるための装飾（電飾を含んでいてもよい）が形成されている。
【００１９】
第一駆動源２１の動力は、動力伝達機構を介して第一部材１１に伝達される。当該動力伝達機構は、第一部材１１に接続された動力伝達部材２１１を含む（図３〜５参照）。本実施形態における、動力伝達部材２１１は、第一部材１１との相対的な位置関係を変化させることができないように、第一部材１１の左側端部に固定されている。動力伝達部材２１１は、一方側端部が第一伝達部材２２１に固定され、他方側端部がベース部材４０（本願発明における固定部材に相当する）に接続されている。ベース部材４０は、遊技機１の本体側に動かないように固定された枠部材であり、その全部または大部分が遊技盤９０に覆われて（遊技盤９０の後方に位置して）遊技者には視認できない部材である。ベース部材４０は、複数の部材が組み合わされてなるものであってもよい。本実施形態では、動力伝達部材２１１の他方側端部はベース部材４０（ベース部材４０の左側）に対し回動自在に支持されている。第一駆動源２１の動力が動力伝達部材２１１に伝達されることで、当該動力伝達部材２１１が回動し、それにより当該動力伝達部材２１１に接続された第一部材１１が変位することになる。つまり、本実施形態における第一部材１１は、ベース部材４０に対する動力伝達部材２１１の回動軸を中心とした円を描くように変位することになる。本実施形態では、第一部材１１を変位させるために、当該第一部材１１に接続される部材は動力伝達部材２１１のみである（後述する支持部材３０は動力伝達機能を発現しない）。第一駆動源２１から第一部材１１に至るまでの動力伝達経路は一つであるともいえる。なお、第一駆動源２１から動力伝達部材２１１までの動力を伝達するための構造はどのようなものであってもよいから説明を省略する。
【００２０】
第二部材１２（図１、図３〜５参照）は、第一部材１１に支持されたものであって、当該第一部材１１に対して変位することが可能なものである。つまり、第二部材１２が第一部材１１に対して変位することで、第一部材１１と第二部材１２の相対的な位置関係が変化する。第二部材１２は、原位置（上記第一原位置と区別するため、以下第二原位置と称する）（図３、４に示す位置）と演出位置（上記第一演出位置と区別するため、以下第二演出位置と称する）との間を変位する（図５に示す位置）。かかる第二原位置および第二演出位置は、あくまで、第一部材１１に対する相対的な位置である。第二部材１２は、第一部材１１に支持されたものであるから、第一駆動源２１を駆動させたときには、第一部材１１が変位することになるところ、当該変位に伴って第二部材１２も変位することになる（図３、４参照）。一方、本実施形態では、第二部材１２に動力が伝達される（第一部材１１には動力が伝達されない）第二駆動源２２が設けられており、当該第二駆動源２２を駆動させたときには、第一部材１１に対して第二部材１２が変位することになる。
【００２１】
第一部材１１が第一原位置に位置するときには、第二部材１２も第二原位置に位置するようにされる。このような状態にあるときには、第一部材１１とともに第二部材１２も遊技盤９０の開口９０１よりも下側の部分に覆われることで、遊技者には視認困難な状態にある。一方、第一部材１１が第一演出位置に位置するときには、第二部材１２の全部または大部分が遊技盤９０に形成された開口９０１を通じて遊技者に視認される状態となる（図１参照）。第二部材１２の前面には、第二演出位置に位置したときの演出効果を高めるための装飾（電飾を含んでいてもよい）が形成されている。
【００２２】
本実施形態における第二部材１２は、第一部材１１の前側で直線状にスライド自在に設けられている。図示しないが、第一部材１１の前側および第二部材１２の後側の一方には直線状のスライドレールが固定され、他方側には当該スライドレールに係合するスライダが固定されている。当該スライドレール内をスライダがスライドすることにより、第一部材１１に対して第二部材１２が直線状に変位する。つまり、第二部材１２が第二原位置と第二演出位置との間を変位する。第二部材１２は第一部材１１よりも前側に設けられているため、第二部材１２が第二原位置に位置するときよりも、第二演出位置に位置するときの方が、第一部材１１（第一部材１１の前側に設けられた装飾）が、第二部材１２に覆われずに露出する領域が大きくなる（図４、５参照）。換言すれば、第二部材１２が原位置に位置するときの方が、第二演出位置に位置するときよりも、第一部材１１とそれよりも前にある第二部材１２とが前後方向に重なる領域が大きくなるということである。
【００２３】
第二駆動源２２の動力を第二部材１２に伝達する構造（動力伝達機構）はどのようなものであってもよい。本実施形態では、第一部材１１が変位することによって第二部材１２が変位したとしても、第二駆動源２２の動力が第二部材１２に伝達可能な動力伝達機構が構築されている。具体的には、長穴（貫通孔であるかどうかは問わない）が形成され、第二部材１２に接続された第一伝達部材２２１と、当該長穴に係合する突起が形成され、当該突起が形成された反対側に設定された回動軸を中心として第二駆動源２２の動力により回動する第二伝達部材２２２を有し、第二部材１２が変位したときに長穴内を突起がスライドすることで、第二部材１２がどのような位置にあっても第二駆動源２２の動力が第二部材１２に伝達されるような機構が構築されている。ただし、これはあくまで一例である。本実施形態では、第二駆動源２２の動力は、第一部材１１には伝達されない。ただし、一の駆動源により、第一部材１１と第二部材１２の両方を駆動させるものとしてもよい。第二部材１２のみに駆動源の動力が伝達され、第一部材１１に対して第二部材１２が変位することが可能な動力伝達機構が構築されていればよい。また、第二駆動源２２やその動力を第二部材１２に伝達する動力伝達機構が、第一部材１１に設けられた構成（第一部材１１が変位すると、当該第一部材１１と一緒に、第二駆動源２２やその動力を第二部材１２に伝達する動力伝達機構が変位する構成）としてもよい。
【００２４】
第一部材１１には、第二原位置から第二演出位置に向かって変位してきた第二部材１２を第二演出位置にて停止させるストッパ部１１１が設けられている。つまり、第二部材１２（第二部材１２と一体的に変位するような部材を含む）は、その一部である衝突部１２１が当該ストッパ部１１１に接触することにより第二演出位置にて停止する（図６参照）。第二原位置から変位する第二部材１２（衝突部１２１）は、ある程度の勢いをもってストッパ部１１１に衝突し、第二演出位置にて停止することになる。ストッパ部１１１は、第一部材１１における動力伝達部材２１１が接続された箇所の反対側（第一部材１１の先端側）に設けられている。当該ストッパ部１１１や衝突部１２１は、上述したスライドレールまたはスライダの端部に設けられたものとしてもよい。つまり、スライドレール内をスライドするスライダ（衝突部１２１）が、スライドレールの端部であるストッパ部１１１に衝突することで、第一部材１１に対する第二部材１２の変位が止まる構成としてもよい。
【００２５】
可動演出は次のような態様となる。第一部材１１が第一原位置に、第二部材１２が第二原位置に位置した状態（図３参照）で、第一駆動源２１を駆動させる。そうすると、第一駆動源２１の動力が第一部材１１に伝達されて、第一部材１１が第一原位置から第一演出位置に向かって変位する。この際、第二部材１２は第一部材１１に対する相対的な位置を維持したまま（第二原位置に位置したまま）、第一部材１１とともに変位する（図４参照）。第一部材１１が第一演出位置に到達した後、第一駆動源２１の駆動は停止され、第二駆動源２２を駆動させる。そうすると、第二駆動源２２の動力が第二部材１２に伝達されて、第二部材１２が第二原位置から第二演出位置に向かって変位する。つまり、第一部材１１に対し、第二部材１２が変位する。第一演出位置に位置した第一部材１１の先端側（動力伝達部材２１１が接続された側の反対側）から、第二部材１２が飛び出るような演出形態となる（図５参照）。可動ユニット１０全体で見れば、第二部材１２が飛び出た分、全体が大きく（長く）なったかのような演出形態となる。このように第一部材１１に対して変位する第二部材１２は、ストッパ部１１１によって第二演出位置にて停止させられる。
【００２６】
本実施形態における第一部材１１には、支持部材３０が接続されている（図３〜５参照）。支持部材３０は、第一部材１１およびベース部材４０に接続されている。具体的には、支持部材３０の一端は第一部材１１に対して回動自在に接続され、他端はベース部材４０に接続されている。本実施形態では、第一部材１１の動きに合わせて支持部材３０が変位できるようにするため、支持部材３０の他端はその接続箇所を変化させることができるように（本実施形態では幅方向にスライド自在となるように）してベース部材４０に接続されている。ただし、支持部材３０の他端の前後方向への動きは、ベース部材４０によって規制されている。支持部材３０は、駆動源等によって動作するような部材ではなく、第一駆動源２１の動力により第一部材１１が変位する際に、当該第一部材１１の変位に伴って変位する部材である。つまり、第一部材１１に従動する部材である。
【００２７】
第一部材１１における支持部材３０が接続された箇所（第二接続部Ｘ２）は、第一部材１１における動力伝達部材２１１が接続された箇所（第一接続部Ｘ１）よりも第二部材１２（第二演出位置に位置する第二部材１２）に近い側に設けられている（図５参照）。第一部材１１における動力伝達部材２１１が接続された側を第一部材１１の基端側とし、その逆を先端側とすれば、支持部材３０が接続された箇所は、動力伝達部材２１１が接続された箇所よりも先端側ということである。
【００２８】
本実施形態では、第一部材１１の下側（第一原位置に位置するときにおける下側）に突出部１１２が設けられており、当該突出部１１２に対して支持部材３０の一端が回動自在に接続されている。第一部材１１の一部である突出部１１２と支持部材３０の一部は面接触する。具体的には、突出部１１２の前面（前後方向に略直交する平面）と、支持部材３０の一端側の後面（前後方向に略直交する平面）とは面接触する（図７参照）。したがって、第一部材１１の先端側の前方への変位は、支持部材３０によって抑制されることになる。前方への変位が抑制されるということは、第一部材１１の先端側の後方への変位も抑制されることになる。
【００２９】
このような支持部材３０を設ける意義は次のようなものである。上述したように、可動演出の発生時には、第一部材１１に対して第二部材１２が変位する。第二部材１２が第二原位置から変位し、第二演出位置で停止する際には、当該停止に伴う反作用力が生じ、第二部材１２の先端側が前後にぶれてしまう（一緒に第一部材１１の先端側も前後にぶれてしまう）おそれがある。本実施形態における第一部材１１に対する第二部材１２の変位は、第一部材１１の先端側から第二部材１２が飛び出るような態様であるため、当該「ぶれ」が大きくなるおそれがある。また、本実施形態では、第二部材１２は、第二原位置から直線状に変位して第二演出位置にて第一部材１１の先端側に設けられたストッパ部１１１に停止させられるものである、すなわち第二演出位置まで変位してきた第二部材１２の勢いがストッパ部１１１に吸収されるものであるため、当該「ぶれ」が大きくなるおそれがある。また、本実施形態では、第一部材１１と動力伝達部材２１１は互いの相対的な位置関係が変化しないように一方が他方に固定されたものであるため、第一部材１１と動力伝達部材２１１の接続箇所（第一部材１１の基端側）が支点となって第一部材１１の先端側の「ぶれ」を大きくしてしまうおそれがある。
【００３０】
これに対し本実施形態では、第一部材１１の先端側には支持部材３０の一端が接続されている。当該支持部材３０の他端は動かないように固定された部材であるベース部材４０に接続されているため、第一部材１１が前後に変位しようとしても、その変位は支持部材３０に抑制される。第一部材１１の前後の変位が抑制されるということは、それに支持された第二部材１２の前後の変位も抑制されるということである。つまり、支持部材３０により、上記のような「ぶれ」が抑制されることとなる。
【００３１】
特に、本実施形態における支持部材３０（支持部材３０の後面の一部）は、第一部材１１（突出部１１２の前面の一部）に面接触している。つまり、当該面接触する箇所により、支持部材３０が第一部材１１を前方から押さえつけているというような格好となるため、第一部材１１の前方への変位を抑制する効果が大きいといえる。
【００３２】
なお、支持部材３０は、第一部材１１に対して回動自在に接続されたものであるため、支持部材３０により、前後方向以外の方向の第一部材１１の「ぶれ」も抑制される。つまり、支持部材３０により、特に「前後方向」の「ぶれ」が抑制されるというだけであって、それ以外の方向の「ぶれ」が全く抑制されないというわけではない。
【００３３】
以下、上記実施形態にかかる遊技機１を改良、変形、具体化等した具体例について説明する。なお、以下の具体例を用いて説明する技術的事項を複数組み合わせて適用した構成としてもよい。
【００３４】
○第一具体例
上記実施形態では、支持部材３０の後面の一部と、第一部材１１（突出部１１２）の前面の一部が面接触していることを説明したが、前後の位置関係が逆であってもよい。つまり、支持部材３０の前面の一部と、第一部材１１（突出部１１２）の後面の一部が面接触している構成としてもよい。第一部材１１の先端側が前方および後方の一方に変位することが抑制されれば、他方への変位も抑制されることになる。
【００３５】
○第二具体例
第一部材１１の一部が、支持部材３０の一部に挟まれるような構造とする。上記実施形態と同様に、第一部材１１における支持部材３０の接続箇所として突出部１１２が設けられたものとするのであれば、当該突出部１１２が、支持部材３０の一部に前後から挟まれるような構造とする（図８参照）。
【００３６】
具体的には、支持部材３０の一端（第一部材１１側の端部）には、前部３１と後部３２を含む二股状の部分が構築される。前部３１と後部３２が一つの部材から構築されるものとしてもよいし、二以上の部材から構築されるものとしてもよい。前部３１と後部３２は、所定の空間を隔てて少なくとも一部が前後方向に重なるように設けられる。当該前部３１と後部３２との間（上記所定の空間）に突出部１１２が入り込んだ状態で、第一部材１１と支持部材３０が接続される。このようにすることで、第一部材１１の先端側の前方への変位は前部３１により、後方への変位は後部３２により抑制されることとなるため、上記実施形態よりも第一部材１１および第二部材１２の「ぶれ」を抑制する効果が大きくなるという利点がある。
【００３７】
本例においても、第一部材１１の一部と支持部材３０の一部は面接触するものであることが好ましい。すなわち、突出部１１２の前面は前部３１の後面と、突出部１１２の後面は後部３２の前面と面接触した状態にあることが好ましい。このようにすることで、「ぶれ」を抑制する効果がさらに高められる。ただし、第一部材１１の変位に合わせて第一部材１１と支持部材３０の相対的な関係は変化することになるため、前部３１と後部３２の間で突出部１１２は自在に変位することができるように（上記面接触する部分が容易に摺動可能な態様）すべきである。つまり、前部３１と後部３２の間に突出部１１２が「すきま嵌め」されたような構造であることが好ましい。
【００３８】
○第三具体例
上記実施形態は、第一部材１１に支持部材３０が接続されている構成であることを説明したが、第二部材１２に支持部材３０が接続された構成としてもよい。第一部材１１の変位に伴う第二部材１２の変位や、第一部材１１に対する第二部材１２の変位に伴って変位することが可能な支持部材３０が第二部材１２に接続された構成とする。
【００３９】
このようにすることで、第二部材１２の「ぶれ」を抑制することができる。また、第二部材１２を介して当該第二部材１２を支持する第一部材１１の「ぶれ」を抑制することができる。ただし、第二部材１２は第一部材１１に支持されたものであるため、上記実施形態のように、「支持する」側の部材である第一部材１１の「ぶれ」が支持部材３０によって直接的に抑制される構造とした方が、可動ユニット１０全体の「ぶれ」の抑制効果が高いといえる。
【００４０】
○第四具体例
複数の支持部材３０が設けられた構造とする（図９参照）。このようにすることで、一の支持部材３０が設けられた構造に比して、「ぶれ」の抑制作用がさらに高められる。
【００４１】
例えば、二つの支持部材３０（第一支持部材３０ａと第二支持部材３０ｂ）を設ける場合、第一部材１１の一方側（第一部材１１の下側）に第一支持部材３０ａが接続され、第一部材１１の他方側（第一部材１１の上側）に第二支持部材３０ｂが接続される構造とするとよい。このようにすることで、第一部材１１の一方側および他方側の両方で「ぶれ」が抑制されることになるから、第一部材１１全体の「ぶれ」の抑制作用がさらに高められる。
【００４２】
○第五具体例
上記実施形態は、第一部材１１およびそれに支持された第二部材１２の前後方向の「ぶれ」を抑制するために、第一部材１１の前面の一部に面接触するように支持部材３０が接続されていることを説明したが、前後方向以外の方向における「ぶれ」が抑制される構造としてもよい。具体的には、第一部材１１と支持部材３０は、抑制すべき「ぶれ」の方向に略直交する面同士が面接触するものとすればよい。例えば、左右方向の「ぶれ」を抑制したいのであれば、第一部材１１と支持部材３０における互いに面接触する面は、左右方向に略直交するものとされる。
【００４３】
以上、本発明の実施の形態について詳細に説明したが、本発明は上記実施の形態に何ら限定されるものではなく、本発明の要旨を逸脱しない範囲で種々の改変が可能である。
【００４４】
上記実施形態にかかる遊技機１はいわゆるぱちんこ遊技機であるが、可動する部材を備えた遊技機であれば、回動式遊技機等の異なる遊技機に対しても同様の技術思想が適用可能である。
【００４５】
上記実施形態から得られる具体的手段（遊技機）を以下に列挙する。
【００４６】
・手段１
駆動源の動力によって変位する第一部材と、
前記第一部材に支持された部材であって、当該第一部材に対して原位置と演出位置との間を変位することが可能な第二部材と、
前記駆動源の動力を前記第一部材に伝達する動力伝達部材と、
前記第一部材および動かないように固定された固定部材に接続された支持部材と、
を備え、
前記第一部材における前記動力伝達部材が接続された第一接続部よりも、前記第一部材における前記支持部材が接続された第二接続部の方が、前記演出位置に位置する前記第二部材に近い位置に設けられていることを特徴とする遊技機。
上記遊技機によれば、第一部材やそれに支持される第二部材の「ぶれ」が支持部材により抑制される。
【００４７】
・手段２
前記第一部材には、前記原位置から変位した前記第二部材を前記演出位置にて停止させるストッパ部が設けられていることを特徴とする手段１に記載の遊技機。
このようなストッパ部が設けられていると、演出位置に向かって変位してきた第二部材の勢いにより第一部材の「ぶれ」が大きくなってしまうおそれがあるところ、当該「ぶれ」が支持部材により抑制されることになる。
【００４８】
・手段３
前記第二部材は、前記原位置から真っすぐに変位し、前記ストッパ部により前記演出位置にて停止させられるものであることを特徴とする手段２に記載の遊技機。
このように、第二部材が直線状に変位するものとすれば、ストッパ部にかかる衝撃が大きいために第一部材の「ぶれ」が大きくなってしまうおそれがあるところ、当該「ぶれ」が支持部材により抑制されることになる。
【００４９】
・手段４
前記第一部材と前記動力伝達部材は、互いの相対的な位置関係が変化しないように接続されていることを特徴とする手段１から手段３のいずれかに記載の遊技機。
このように、第一部材に対し動力伝達部材が固定された構造とすると、当該固定箇所を支点として第一部材が大きくぶれてしまうおそれがあるところ、当該「ぶれ」が支持部材により抑制されることになる。
【００５０】
・手段５
前記第一部材の一部が、前記支持部材の一部に面接触するようにして、前記第一部材と前記支持部材が接続されていることを特徴とする手段１から手段４のいずれかに記載の遊技機。
このようにすることで、第一部材やそれに支持される第二部材の「ぶれ」を抑制する作用が高まる。
【００５１】
・手段６
前記第一部材の一部が、前記支持部材の一部に挟まれるようにして、前記第一部材と前記支持部材が接続されていることを特徴とする手段１から手段４のいずれか一項に記載の遊技機。
このようにすることで、第一部材やそれに支持される第二部材の「ぶれ」を抑制する作用が高まる。
【符号の説明】
【００５２】
１  遊技機
１０  可動ユニット
１１  第一部材
１１１  ストッパ部
１２  第二部材
２１  第一駆動源
２１１  動力伝達部材
２２  第二駆動源
３０  支持部材
４０  ベース部材（固定部材）
Ｘ１  第一接続部
Ｘ２  第二接続部
【図１】
2019201769.tif 000003
【図２】
2019201769.tif 000004
【図３】
2019201769.tif 000005
【図４】
2019201769.tif 000006
【図５】
2019201769.tif 000007
【図６】
2019201769.tif 000008
【図７】
2019201769.tif 000009
【図８】
2019201769.tif 000010
【図９】
2019201769.tif 000011